(57)【要約】【課題】  機器を十分に冷却することができるとともに省エネルギーにも貢献する機器収容用ラック、電算機室用空調システム提供する。【解決手段】  床下に内部空間を有する通路４を挟んで両側に設置され、前面から給気して上面３ａ又は背面３ｃから熱を帯びた空気を排気する機器収容用ラック３群と、空気調和装置６を備え、前記空気調和装置６から吹き出された冷却用空気が、内部空間を流動するとともに、前記通路４の床面に設けられた孔から前記通路４の床上に排気され、この冷却用空気が前記ラック３に収容された機器を冷却した後、前記ラック３の上方の空間を流動して前記空気調和装置６に再び吸引される電算機室用空調システムにおいて、前記ラック３から排出された空気を空気調和装置６へと誘導するガイド部１を備えたことを特徴とする。【選択図】    図２
2006064303.tif 000002
【特許請求の範囲】
【請求項１】
床下に内部空間を有する通路を挟んで両側に設置され、前面から給気して上面又は背面から熱を帯びた空気を排気する機器収容用ラック群と、空気調和装置を備え、前記空気調和機から吹き出された冷却用空気が、内部空間を流動するとともに、前記通路の床面に設けられた孔から前記通路の床上に排気され、この冷却用空気が前記ラックに収容された機器を冷却した後、前記ラックの上方の空間を流動して前記空気調和装置に再び吸引される電算機室用空調システムにおいて、
前記ラックから排出された空気を空気調和装置へと誘導するガイド部を備えたことを特徴とする電算機室用空調システム。
【請求項２】
前記通路の前記空気調和装置から遠い側の一端、或いは前記通路の両端に遮蔽壁を備えたことを特徴とする請求項１に記載の電算機室用空調システム。
【請求項３】
前記ガイド部と前記空気調和装置の吸気側とがダクトを介して直結されていることを特徴とする請求項１又は２記載の電算機室用空調システム。
【請求項４】
前記ガイド部或いは前記通路の一端にファンを設けたことを特徴とする請求項１から３のいずれかに記載の電算機室用空調システム。
【請求項５】
前記ガイド部は、前記ラック或いはラック群毎に個別に設けられていることを特徴とする請求項１から４のいずれかに記載の電算機室用空調システム。
【請求項６】
前記ガイド部は、対向して設置された前記ラック群の各排気口を内包するように前記通路を跨いで設けられていることを特徴とする請求項１から４のいずれかに記載の電算機室用空調システム。
【請求項７】
前記ラック群の上面或いは電算機室内の天井面に一端を支持される複数のガイド板を備え、
前記ガイド部は、前記天井面と一対のガイド板とによって、前記ラック群の排気口が開口する側にガイド空間を形成するように構成されていることを特徴とする電算機室用空調システム。
【請求項８】
前記ガイド部は、対向して設置されたラック或いはラック群にそれぞれ設けられた斜傾板を互いに斜交させてなることを特徴とする請求項１から４、６のいずれかに記載の電算機室用空調システム。
【請求項９】
床下に内部空間を有する通路を挟んで両側に設置され、前面から給気して上面又は背面から熱を帯びた空気を排気する機器収容用ラック或いは機器収容用ラック群に備えられる排気誘導装置であって、
前記ラック或いはラック群から排気された空気を所定の方向へ誘導する斜傾板を排気側に向けて伸縮可能に延長させてなることを特徴とする排気誘導装置。
【発明の詳細な説明】
【技術分野】
【０００１】
本発明は、電算機室用空調及びシステム排気誘導装置に関するものである。
【背景技術】
【０００２】
ＯＡ機器や通信装置等は、高集約化・高発熱化の傾向にある。これらの機器の運用温度は比較的低く設定されているため、高温の空気を吸い込んだ場合、システム停止などのトラブルを引き起こす可能性がある。そのため、これらの機器は電算機室内に設置されたラックに収容され、二重床からの吹き出しによって効率よく機器に冷風を送り込むような方式を採用している。二重床吹き出し方式の電算機の場合、機器を搭載したラックは、大別して、前面から給気して背面や上面に排気しているものと、下面から給気して背面や上面に排気するものの２通りがある。（例えば、特許文献１、２）
【０００３】
前面から給気する電算機室用空調システムの例を図３６に示した。
この図は建物の室内で、床１、不図示の壁及び天井で囲まれている。床１から上方に離間して二重床２が設けられ、その二重床２に複数台のラック３、３、…が設置されている。
これらラック３群に挟まれて通路４が位置している。二重床２の下には空間（以下、二重床２の内部空間と称する）５が確保され、そこに各ラック３の電気配線（図示しない）などが収容される。また、通路４の外側において、二重床２上に空気調和装置６が設置されている。この空気調和装置６は、室内の空気を吸込口６ａから吸い込んで冷却し、その冷却後の空気を冷却用空気として底面に設けられた吹出口６ｂから送出する。尚、空気調和装置６の電気配線についても二重床２の内部空間５に収容される。二重床２の一部は通路４に位置して孔あきパネル７が設けられており、空気調和装置６から送り出される冷却用空気が孔あきパネル７を通して二重床２上に給気されるようになっている。各ラック３は、筐体３ａの前面（給気面３ｂ）全体から冷却用空気を取り込み、上部又は背面に設けられたファン３ｃから上方又は背面方向に排気するようになっている。
【特許文献１】特開平８−３０３８１５号公報
【特許文献２】特開平１０−４７７４７号公報
【発明の開示】
【発明が解決しようとする課題】
【０００４】
さて、近年電算機室等で使用している機器の発熱量が非常に大きくなってきており、このため、従来の想定を超える熱問題が生じている。すなわち、図３６の例のように発熱機器を前面吸込み方式のラック３に縦方向に搭載していった場合、符号Ａで示したように上部の方には二重床からの冷風が届かなかったり、符号Ｂのようにラック上面や背面から排出される温度が給気面３ｂに回り込むことによって上部が暖まってしまったりという現象が起きている。
【０００５】
本発明は、このような事情を考慮してなされたもので、機器を十分に冷却することができるとともに省エネルギーにも貢献する機器収容用ラック、電算機室用空調システムを提供することを目的とする。
【課題を解決するための手段】
【０００６】
本発明は、上記課題を解決するため、以下の手段を採用する。
すなわち本発明は、床下に内部空間を有する通路を挟んで両側に設置され、前面から給気して上面又は背面から熱を帯びた空気を排気する機器収容用ラック群と、空気調和装置を備え、前記空気調和機から吹き出された冷却用空気が、内部空間を流動するとともに、前記通路の床面に設けられた孔から前記通路の床上に排気され、この冷却用空気が前記ラックに収容された機器を冷却した後、前記ラックの上方の空間を流動して前記空気調和装置に再び吸引される電算機室用空調システムにおいて、前記ラックから排出された空気を空気調和装置へと誘導するガイド部を備えたことを特徴とする。
このように構成することにより、ラック群から排出された空気は前面側へ流出することなく、おのずと空気調和装置へと誘導されることになる。
【０００７】
また、請求項２記載の発明は、請求項１記載の発明において、前記通路の前記空気調和装置から遠い側の一端、或いは前記通路の両端に遮蔽壁を備えたことを特徴とする。
このように構成することにより、通路の開放端、特に空気調和装置から遠い位置から、各ラックの給気側へと熱を帯びた空気が流出するのを抑制することができる。
【０００８】
また、請求項３記載の発明は、請求項１又は２記載の発明において、前記ガイド部と前記空気調和装置の吸気側とがダクトを介して直結されていることを特徴とする。
このように構成することによって、ラック群から排気された空気は外部に漏れ出すことなく、ガイド部内を流動して確実に空気調和装置へと導入されることになる。
【０００９】
また、請求項４記載の発明は、請求項１から３のいずれかに記載の発明において、前記ガイド部或いは前記通路の一端にファンを設けたことを特徴とする。
このように構成することによって、ラックから排出された空気を滞留或いはラック内に逆流させることなく、ファンによって順次空気調和装置へと強制的に送り出すことができる。
【００１０】
また、請求項５記載の発明は、請求項１から４のいずれかに記載の発明において、前記ラック或いは毎ラック群毎に個別に設けられていることを特徴とする。
このように構成することにより、ラック群の配置場所及び列数に関わらず、ラック群毎にコンパクトなガイド部を設けることができる。また、ラック群の前面側及び背面側を上方から完全に覆ってしまうことがない。
【００１１】
また、請求項６記載の発明は、請求項１から４のいずれかに記載の発明において、前記ガイド部は、対向して設置された前記ラック群の各排気口を内包するように前記通路を跨いで設けられていることを特徴とする。
このように構成することにより、対向配置されたラック群の排気口を一度に覆うことができ、さらに互いの排気側を繋ぐような空間が形成される。
【００１２】
また、請求項７記載の発明は、前記ラック群の上面或いは電算機室内の天井面に一端を支持される複数のガイド板を備え、前記ガイド部は、前記天井面と一対のガイド板とによって、前記ラック群の排気口が開口する側にガイド空間を形成するように構成されていることを特徴とする。
このように構成することにより、ガイド空間の形成に天井面を用いることができる。
【００１３】
また、請求項８記載の発明は、請求項１から４、６のいずれかに記載の発明において、前記ガイド部は、対向して設置されたラック或いはラック群にそれぞれ設けられた斜傾板を互いに斜交させてなることを特徴とする。
このように構成することにより、対向するラック群の高さに関わらずガイド部を構成することが可能となる。さらに、形状や寸法の異なる斜傾板及びその固定具を予め形成しておく必要がなくなる。
【００１４】
また、請求項９記載の発明は、床下に内部空間を有する通路を挟んで両側に設置され、前面から給気して上面又は背面から熱を帯びた空気を排気する機器収容用ラック或いは機器収容用ラック群に備えられる排気誘導装置であって、前記ラック或いはラック群から排気された空気を所定の方向へ誘導する斜傾板を排気側に向けて伸縮可能に延長させてなることを特徴とする。
このように構成することにより、対向して設置されたラック或いはラック群の一方又は双方の斜傾板を他方に向けて伸長させ両斜傾板を互いに斜交させることにより、対向するラック群の高さに関わらずガイド部を構成することが可能となる。さらに、形状や寸法の異なる斜傾板及びその固定具を予め形成しておく必要がなくなる。
【発明の効果】
【００１５】
請求項１に記載の発明によれば、ラックの上面又は背面から排出された空気の給気側への流出を抑制することにより、熱を帯びた空気のショートサーキット現象が起き難くなりラック内の温度上昇が抑えられる。したがって、ラック内の機器を十分に冷却することができる。
請求項２に記載の発明によれば、通路の一端或いは両端が開放されたままではなく、壁体により遮断されているため、ラックから排気された空気が開放端から回り込んで給気側に流入することが抑制される。したがって、ラックを十分に冷却することができる。
【００１６】
請求項３に記載の発明によれば、ラックから排気される熱を帯びた空気は、全て空気調和装置によって冷却されることになるので、十分に冷却された空気を常に室内に供給することが可能となる。
請求項４に記載の発明によれば、ガイド部内の内圧が上昇するのを抑制し、排出された空気がラックへと逆流することを防止することができるので、ラック内の温度上昇を防止することができる。
【００１７】
請求項５に記載の発明によれば、ラック或いはラック群（以下、単に「ラック」ということがある。）毎にガイド部が設けられているので、ラックを増設又は減設する場合においての対応が容易になる。また、個々の排気口を覆う大きさのため、それほど強度を必要とせず、安く構築することができる。また、ラックの前面側又は背面側を上方から完全に覆ってしまうことがないので、ラックの前面及び背面ともに室内照明の死角となり難い。
請求項６に記載の発明によれば、ラックから排気された空気を空気調和装置へと案内するガイド空間を広く形成することができるので、ラック内の圧力上昇が抑制されて、ラックから排気された空気がラック内に逆流することを防止することができる。また、対向設置されたラック群の排気側を一度に覆うことができるので、取り付け作業に掛かる時間の短縮を図ることができる。
【００１８】
請求項７記載の発明によれば、ガイド空間の形成に天井面を用いることができるので、対向するラック群の上面間に渡ってガイド板を設けずに済む。そのため、ラックと天井との距離が狭い場合や対向するラック群間の距離が遠い場合に有用となる。
請求項８、９記載の発明によれば、あらゆる高さのラックに対応してガイド部を構成することができるので、設備費の削減に繋がる。また、形状や寸法の異なる斜傾板及びその固定具を予め形成しておく必要もなくなる。
【発明を実施するための最良の形態】
【００１９】
以下、本発明の実施の形態について、図面を参照して説明する。尚、従来と同一の構成については同一の符号を用い、その説明を省略する。
【００２０】
第１実施形態の電算機室用空調システムは、図２に示すように、床下に内部空間５を有する通路４を挟んだ両側に複数のラック３群が設けられている。前記ラック３は、前面（給気面ともいう。）３ｂから給気して上面３ａから排気するタイプであって、互いに背面３ｃを対向させて通路４の両側に設置されている。そして、対向して設置されたラック３の上面３ａ間に架け渡され、ラック３の上方とラック３の背面３ｃ側を取り囲むように内側にガイド空間２を形成するガイド部１を設けている。
前記ガイド部１は、図１に示すように、一端に固定部材１１を備えて垂直に立設された一対の側板１０と、これら側板１０の上端に固定され水平に延びるガイド板（以下、天板と称する。）８とを備えて断面コ字状に形成されている。そして、このガイド部１は、前記上面３ａにおいて排気口３Ａより給気面３ｂ側に位置する側縁部に固定用ボルト（不図示）によって固定されている。前記側板１０の上下方向の寸法（高さ）は、上面３ａと天板８との間に所定の間隔（空間）を確保することのできる長さとなっている。
【００２１】
このように構成することによって、各々のラック３の排気口３Ａはガイド部１内に位置されるので、ラック３から排気された熱を帯びた空気は、前記ガイド部１内に吹き出されることになる。さらに、各ガイド部１によって形成されたガイド空間２により、空気調和装置６に至る流路が形成され、ラック３から排出された排熱は、前記ガイド空間２内を流動しながら空気調和装置６へと誘導され、空気調和装置６の吸込口６ａに吸い込まれることになる。また、上面３ａと天板８との間に所定の間隔を確保することにより、ラック３から排気された空気によってガイド部１内の圧力が上昇してしまうのを抑制させることができる。
したがって、各ラック３から排出された排熱がラック３の給気面３ｂ側へと流出することを効果的に抑制し、排熱が空気調和装置６に至る間に再びラック３に取り込まれることが防止されるので、ラック３の上部に収容された機器であっても十分に冷却することができる。また、熱を帯びた空気が空気調和装置６に吸い込まれ易くなるため、空調効果を向上させることができる。
【００２２】
尚、前記ガイド部１はラック３に固定されるものとしたが、この固定手段には、ボルト、マグネット、吸盤、クランプ機構等の手段が採用できる。また、固定するのではなく、ラック３の上面３ａに乗せるだけでもよい。
【００２３】
上記第１の実施の形態に係る電算機室用空調システムにおいては、図３に示すように、空気調和装置６から最も遠くに位置するラック３間に開閉可能な遮蔽扉１２を設け、さらにラック３の上部に設けられているガイド部１の一端にも遮蔽壁１３を設けてもよい。これにより、開放されていた通路４及びガイド部１の一端が閉鎖され、空気調和装置６から離れたラック３から排出された排熱が通路４の端部を通じてラック３の給気面３ｂ側へと流出するのを抑制することができる。
したがって、排熱がラック３の給気面３ｂから吸引されるのを防ぐことができるので、ラック３内の温度上昇を防止することができる。
【００２４】
また、図４に示すように、上記実施形態に係る前記通路４の他端側、つまり空気調和装置６に近い側のラック３間に上記遮蔽扉１２を備えてもよく、この構成では、通路４の両端側が遮蔽されるので、排出された排熱がラック３の給気面３ｂ側へと流出することを防止することができる。このとき、空気調和装置６側のガイド部１には遮蔽壁１３は設けずに開口させておくことで、ガイド部１内の排熱が空気調和装置６の上面に形成された吸気口６ａに向けて排出されることになる。
このように構成することによって、空気調和装置６から遠い通路４の一端側からの排気の流出を抑制することができる。
また、遮蔽手段を扉にすることによって、通路４を遮蔽するとともに通路４内への出入りが可能となるので、メンテナンス作業を行うこともできる。
【００２５】
さらに、図５に示すように、上記実施形態に係る空気調和装置６側のガイド部１の他端にも遮蔽壁１３を設けてもよい。この場合、前記遮蔽壁１３にガイド用ダクト１４を設けて、空気調和装置６の吸気口６ａを覆う空調機側ダクト１５に連結させてもよい。
このように構成することによって、ガイド空間２は、ガイド用ダクト１４を介して直接空気調和装置６の吸込口６ａへと繋がれることになる。したがって、排熱の流出は完全に防止されるので、排熱を効率よく冷却させることができる。さらに、ラック３から排気される熱を帯びた空気は、全て空気調和装置６によって冷却されることになるので、十分に冷却された空気を常に供給することが可能となるので、省エネルギーにも貢献することができる。
【００２６】
さらに図６のように、上記実施形態に係る通路４或いはガイド部１の空気調和装置６側の一端に、ファン１６、１６’を設けてもよい。通路４の一端に設ける場合は、例えば床置き式のファン１６を用いる。また、ガイド部１の一端に設けるときには、例えば、ファンと該ファンを支持するパネルとで構成されるファン１６’を嵌め込んでもよい。これにより、ガイド空間２内に排気された排熱はファン１６、１６’によって空気調和装置６へと順次強制的に送り出される。したがって、ラック３から次々と熱を帯びた空気が排出されても、すばやく空気調和装置６へと送り出すことができるので、ガイド部１内の内圧が上昇してしまうことを抑制することが可能となり、排気された空気がラック３内へ逆流してしまう虞をなくすことができる。
【００２７】
尚、ファン１６、１６’の設置位置は、図６では空気調和装置６側の一端側としたが、他端側であってもよい。これにより、空気調和装置６から遠方に位置するラック３より排出された空気を迅速に空気調和装置６へと送気することができる。
したがって、例えば空気調和装置６側の一端側に設けられるファン１６、１６’の吸引力が作用しないほど遠くに位置するラック３から排気された空気においても、ラック３の給気側３ｂへ流出させることなく空気調和装置６側へと送り出すことができるので、ラック３内の温度上昇を防止することが可能となる。
尚、上記した実施形態において、開閉可能な遮蔽扉１２と遮蔽壁１３とを一体にして設けてもよい。
【００２８】
図７に、本発明における電算機室用空調システムの第２の実施の形態を示す。
以下、上記第１実施形態と同一構成要素には同一符号を付してその説明を省略し、相違点を中心に説明する。
第２実施形態の電算機室用空調システムは、図７に示すように、通路４を挟んだ両側に複数のラック３’群が設けられている。このラック３’は、前面（給気面）３ｂ’から給気して背面３ｃ’から排気するタイプであって、互いに背面（排気面）３ｃ’を対向させて通路４の両側に設置されている。そして、対向するラック３’の上面３ａ’間に架け渡されたガイド部２０が備えられている。
【００２９】
前記ガイド部２０は、図８に示すように、一端に固定部材１１’を備えて垂直に立設された一対の側板１０’と、これら側板１０‘の上端に固定され水平に延びる天板８’とを備えて断面コ字状に形成されている。そして、このガイド部２０は、前記上面３ａ’において排気口３Ａ’より給気面３ｂ’側に位置する側縁部に固定用ボルト１１ａによって固定されている。前記側板１０’の上下方向の長さは、第１実施形態の側板１０に比べて短く形成されている。但し、ラック３の上面３ａ’と天板８’との間に、ガイド部２０をラック３に固定する作業を通路４側から行うことのできる間隔（空間）を確保することのできる長さとなっている。
【００３０】
このように構成することによって、各ガイド部２０によって形成されたガイド空間２’により、空気調和装置６に至る流路が形成されるので、ラック３’から排出された排熱は、各ガイド部２０によってガイドされ、空気調和装置６の吸込口６ａに吸い込まれるのでラック３’を十分に冷却することが可能となる。
また、熱を帯びた空気は通路４側に排出されることになるので、ラック３’の上方にガイド空間２’を広く形成する必要はなくなる。そのため、ガイド部２０は、第１の実施の形態のように側板１０’にあえて長さを持たせる必要はなく、ラック３群の背面３ｃ側にガイド空間２’を形成しうるものであれば良い。或いは、天板８’を直接ラック３’に設けてもよい。
上記実施形態においては、前記ガイド部２０は天井までの高さをそれほど必要としないため、第１実施形態のガイド部１より小型化することが可能となる。
尚、対向するラック３’の上面３ａ’間に天板８’を直接設けるようにしてもよい。これにより、部品点数を削減することができるのでコスト削減を図ることが可能となる。
【００３１】
さらに、上記第２の実施の形態に係る電算気室用空調システムにおいては、図９のように、空気調和装置６から遠い通路４及びガイド部２０を閉鎖する開閉可能な遮蔽扉１７を備えてもよい。
これにより、排熱がラック３’の給気面３ｂ’側へ流出することを防ぐことができる。したがってラック３’を十分に冷却することができ、高い冷却効果を得ることができる。
尚、前記遮蔽扉１７は通路４とガイド部２０とを一度に覆うことのできる壁体であってもよい。
【００３２】
さらに、図１０のように、空気調和装置６側の通路４にも遮蔽扉１７’を設けてもよい。このとき、空気調和装置６側のガイド部２０の一端には遮蔽壁（不図示）を設けずに開口させておき、そこからガイド空間２’内に排気された空気が空気調和装置６へと排出される。
このように、通路４の両端が閉鎖されることにより、通路４からガイド空間２’内の排気が流出することを防止することができる。
通路４を遮蔽するとともに通路４内への出入りが可能となり、メンテナンス作業を行うこともできる。
【００３３】
さらに、図１１に示すように、上記実施形態に係る前記ガイド部２０の開口側をガイド部用ダクト１８で完全に覆い、前記ガイド部用ダクト１８と空気調和装置側のダクト１５が、ガイド用ダクト１４によって直結されるようにしてもよい。
このようにガイド空間２’をガイド用ダクト１４を介して空気調和装置６へと直接繋ぐことによって、排熱の流出は完全に防止される。これにより、熱を帯びた空気のみを冷却することができるので、ラック３’の冷却効率を向上させることができる。
【００３４】
また、図１２に示すように、通路４の空気調和装置６側の一端にファン１６を備えてもよい。このファン１６の床上からの高さ位置は適宜変えられるものとし、排気された空気が通路４の上方に滞留するのを防止することができる。
【００３５】
尚、図１３に示すように、ラック３’群の中央に位置する一対のラック３’の上面３ａ’にガイド部用ダクト１８を設け、前記ガイド部用ダクト１８と空気調和装置側のダクト１５が、ガイド用ダクト１４によって直結されるようにしてもよい。
或いは、図１４に示すように、ガイド部用ダクト１８’の上面にガイド用ダクト１４’を垂直に備えて天井面８０に直結させ、ラック３’の排気を天井裏に排出するようにしてもよい。このとき、空気調和装置側のダクト１５’も同様に天井面８０に直結させて備えておく。このように構成することによって、ラック３’から排出された空気は天井裏を流動して空気調和装置側のダクト１５’から空気調和装置６へと吸引されることになる。
また、これら通路４の端部に遮蔽扉１２及び遮蔽壁１３、或いはファン１６を設けてもよい。その場合、ファン１６はガイド部用ダクト１８又は１８’側に向けるようにする。さらに、ダクト内にファンを備えることとしてもよい。
【００３６】
図１５に、本発明における電算機室用空調システムの第３の実施の形態を示す。
以下、上記第１実施形態と同一構成要素には同一符号を付してその説明を省略し、相違点を中心に説明する。
第３実施形態の電算機室用空調システムでは、図１５に示すように、開口パネル７を挟んだ両側にガイド部３０を備えた複数のラック３群が設けられている。前記ラック３は、前面（給気面）３ｂから給気して上面３ａから排気するタイプであって、互いに給気面（前面）３ｂを対向させて開口パネル７の両側に設置されている。そして、ラック３毎にガイド部３０が個別に設けられ、ラック３の上面３ａの排気口３Ａを覆うように設置される。
【００３７】
前記ガイド部３０は、図１６に示すように、一端に固定部材１１”を備えて垂直に立設された一対の側板１０”と、これら側板１０”の上端に固定され水平に延びる天板８”とを備えて断面コ字状に形成されている。そして、このガイド部３０の開口側を下方に向け、前記上面３ａに形成された排気口３Ａを覆うようにして固定用ボルトによって固定されている。
【００３８】
このように構成することによって、ラック３毎に形成されるガイド空間２”によって空気調和装置６に至る流路が形成されるので、ラック３から排出された排熱は、各ガイド部３０によってガイドされ、空気調和装置６の吸込口６ａに吸い込まれる。
したがって、排熱が空気調和装置６へと誘導されることになるので、空気調和装置６に至る間に再びラック３に取り込まれることを防止することができる。また、ガイド部３０はラック３毎に設置されるので、対向するラック３との関わりを考慮する必要はなくなり、ラック３の室内での配置場所や列数に関わらずガイド部３０を設けることが可能となる。また、ラック３の増設及び減設する場合の対応も容易となる。さらに、ラック３群の給気面３ｂ側又は背面３ｃ側を上方から完全に覆ってしまうことがないので、ラック３の給気面３ｂ及び背面３ｃともに室内照明の死角となり難い。
【００３９】
上記第３の実施の形態に係る電算気室用空調システムにおいては、図１７に示すように、前記ガイド部３０の空気調和装置６側の一端にファン１６’を設けてもよい。前記ファン１６’は、ガイド部３０の空気調和装置６側に軸方向を水平にさせた状態で、嵌め込まれている。
このように構成することによって、ガイド部３０内の排気をファン１６’によって強制的に排出することができる。したがって、ガイド部３０内の内圧が上昇するのを抑制し、排出された空気がラック３へと逆流することを防ぐことができるので、ラック３内の温度上昇を防止することができる。
このとき、ガイド部３０に備えられるファン１６’は、ラック３の排気口３Ａに設けられているラックファンの風量の総計より大きくなければならない。
【００４０】
さらに図１８のように、上記実施形態に係る前記ガイド部３０と空気調和装置６側のダクト１５とが、ガイド用ダクト１４によって直結されるようにしてもよい。
このようにすることによって、排気された排熱は直接空気調和装置６へと誘導されることになる。したがって、ラック３の給気面３ｂ側への流出は完全に防止され、さらに熱を帯びた空気のみを冷却することができるので、ラック３を冷却する冷却効率を向上させることができる。
【００４１】
図１９に、本発明における電算機室用空調システムの第４の実施の形態を示す。
以下、上記第１実施形態と同一構成要素には同一符号を付してその説明を省略し、相違点を中心に説明する。
第４実施形態の電算機室用空調システムは、図１９に示すように、開口パネル７を挟んだ両側にガイド部４０を備えた複数のラック３群が設けられている。前記ラック３は、給気面から給気して上面から排気するタイプであって、互いに給気面３ｂを対向させて開口パネル７の両側に設置されている。そして、ラック３毎にガイド部４０が個別に設けられ、ラック３の上面３ａの排気口３Ａを覆うように設置される。
前記ガイド部４０は、図２０に示すように、給気面３ｂから給気して上面３ａから排気するタイプのラック３に用いられ、前記ラック３の上面３ａにおいて給気面３ｂ側及び背面３ｃ側の側縁部に、互いに対向させて設けられている。前記ガイド部４０は、上下に伸縮可能に支持された伸縮板４４を垂直に備えてなる。この伸縮板４４の使用時（遮蔽時）には上方に向かって引き伸ばし、天井面（不図示）まで届くようにする。
【００４２】
このように構成することによって、ガイド空間４１の形成に天井面を用いることができるので、対向するラック３群の上面３ａ間に渡って天板を設けずに済む。そのため、ラック３と天井との距離が狭い場合に有用となる。天板が不要なため、ガイド部３０より低コストに設置することができる。
また、前記ガイド部４０は、対向するラック３の上面３ａにそれぞれ備えてもよく、上記第１、第２実施形態のガイド部１、２０における前記天板８、８’の代わりに天井面を利用してガイド空間４１を形成することができるので、対向するラック３群との距離が遠い場合にも有用となる。
このとき、図２１に示すように空気調和装置６側の一端にファン１６’を備えてもよい。
また、ガイド用ダクト１４により空気調和装置６へと直結してもよい（図２２）。
さらに、空気調和装置６から遠い側の一端にもガイド部４０を設けることにより、両側のガイド部４０が連結され、上記第３の実施の形態と同様の作用を得ることができる。
【００４３】
図２３に、本発明における電算機室用空調システムの第５の実施の形態を示す。
以下、上記第１実施形態と同一構成要素には同一符号を付してその説明を省略し、相違点を中心に説明する。
第５実施形態の電算機室用空調システムは、図２３に示すように、ガイド部５０はラック３の給気面３ｂ側及び背面３ｃ側に向かって傾斜させてなり、空気調和装置６から遠い側の一端は遮蔽板５１により閉塞されている。
【００４４】
前記ガイド部５０の変形例として、対向して設置されたラック３群にそれぞれ設けられたガイド部５０の上端同士が、互いに接触及び重なることを回避するために、図２４に示すような一対の側版５１’を備えたガイド部５０’としてもよい。ラック３の給気面３ｂ側及び背面３ｃ側に向かって傾斜したガイド部５０’は、側板５１’のある部分から先端を垂直に曲折させてなっている。これに対応させて、遮蔽板５１ａの先端も垂直に延びている。
尚、これらガイド部５０’の上端は天井面に届くようにしても良いし、天板を設けることとしても良い。また、空気調和装置６側の開放端にファンを設けてもよい。さらに、ダクトで空気調和装置６に直結することもできる。
【００４５】
図２５に、本発明における電算機室用空調システムの第６の実施の形態を示す。
以下、上記第１実施形態と同一構成要素には同一符号を付してその説明を省略し、相違点を中心に説明する。
第６実施形態の電算機室用空調システムは、図２５に示すように、ガイド部６０はＬ字状に曲折させて形成されてなり、短部側を固定部６０ａとしてラック３上方の天井面に固定し、長部側の先端がラック３の給気面３ｂ側及び背面３ｃ側の側縁部に位置するように、ラック３の上方の天井面にそれぞれ対向させて設けられている。これら一対のガイド部６０と天井面とによってラック３の上方に独立したガイド空間６１が形成される。前記長部側の先端は、ラック３の上面３ａに届くようにしてもよいし、後述する図２６のように、上面３ａから適宜間隔を空けるようにしても良い。
このように構成することによって、各ガイド部６０の形成に天井面を用いるので、天板の寸法が異なるガイド部を予め形成しておく必要はなく、ラック３の幅寸法及びラックファンの形状又は設置位置に合わせたガイド部の形成を行うことができる。したがって、任意の範囲にガイド空間６１を形成することができる。
【００４６】
そして、図２６に示すように、ラック３群の上面３ａ側縁部において、ラック３の給気面３ｂ側と背面３ｃ側にガイド部６０が対向して位置するよう、ラック３群上方の天井面に設けられる。このとき、ガイド部６０の先端は上面３ａから適宜間隔を空けて備える。この間隔は、ラック３から排気される風量及び風速によって決定される。そして、ガイド部６０の空気調和装置６から遠い側の一端にもガイド部６０を設けて、対向させて設置したガイド部６０を連結させる。このとき、空気調和装置６側のガイド部６０の一端は開放されており、そこからガイド空間６１内に排出された排気が空気調和装置６へと排出されることになる。
このように構成することによって、ラック３郡毎にガイド空間６１が形成され、空気調和装置６への流路となる。この流路によって、排気された空気は空気調和装置６へと誘導される。よって、熱を帯びた空気を効率よく冷却することができる。
【００４７】
尚、上記実施形態においては、上面３ａとガイド部６０の先端との間に間隔を設けることとしたが、必ずしも意図的に設ける必要はない。高さ寸法の異なるラック３の上方に設けられた場合に、多少の隙間が空いてしまったとしても、熱を帯びた空気は比重が小さく上昇するので、ラック３から排出される空気の風量及び風速が隙間に対して適当であれば隙間から漏れ出す心配はない。そのため、ラック３と天井面との距離をガイド部６０の長部側の長さ寸法に、精度よく反映させて形成しなくてもよいので安価に形成することができる。さらに、高さ寸法が異なるラック３にも対応させることができるので汎用性を高めることができる。
【００４８】
また、図２７に示すように、上記実施形態に係るガイド部６０は、通路４を挟んで両側に設置されたラック３群の上面３ａ側縁部において、給気面３ｂ側に位置させるようにして、天井面に備えられてもよい。また、空気調和装置６から遠方に設置されたラック３間に遮蔽扉１２を備え、さらに、その上方に位置するガイド部６０の一端にも遮蔽壁１３を備えて構成されていてもよい。また、図２８に示すように、空気調和装置６側のラック３間及びガイド部６０の一端にも遮蔽扉１２及び遮蔽壁１３を備えてガイド空間６１の一端を仕切り、前記遮蔽壁１３にガイド用ダクト１４を備えて空気調和装置６側のダクト１５へと直結させて設けてもよい。
これにより、上記第１実施形態と同様の作用が得られるとともに、天板を用いることなくガイド空間６１を形成することができるので、第１実施形態に比べて部品点数を削減することができる。
【００４９】
図２９に、本発明における電算機室用空調システムの第７の実施の形態を示す。
以下、上記第１実施形態と同一構成要素には同一符号を付してその説明を省略し、相違点を中心に説明する。
第７実施形態の電算機室用空調システムは、図２９に示すように、ラック３側と開口パネル７の上方空間との間で斜交可能な斜傾具（排気誘導装置）７１を備えたガイド部７０を備えてなっている。前記ラック３は、前面３ｂから給気して上面３ａから排気するタイプのラック３であって、開口パネル７の両側に、互いの給気面（前面）３ｂ側を対向させて設置されている。前記ガイド部７０は、ラック３の上面３ａにおいて、前面（給気面）３ｂ側にそれぞれ対向状態で備えられるものである。このとき斜傾板（以下、スライド板と称する。）７１ａを開口パネル７側に向けて設置し、互いのスライド板７１ａが斜交するようにスライドさせて調節する。そして、互いに斜交させて所定の位置で固定することにより、その内側にガイド空間７５が形成される。
【００５０】
図３０に示すように、上記実施形態に係るラック３には、もともとラック連結用バー７１ｃと前記ラック連結用バー７１ｃの固定用ボルト１１ａとが設けられており、ガイド部７０は、この固定用ボルト１１ａを用いてラック３に固定する。具体的には、図３２において、斜傾具７１は、スライド板（斜傾板）７１ａとスライド板７１ａを支持する側面ガイド７１ｂとで構成される。このスライド板７１ａは、図３１の矢印で示す方向にスライド（伸縮）させることができ、位置決めされた後は、上板７２の下面に設けられた固定用ネジ７３（図３２）でスライド板７１ａを固定することができるようになっている。
このような構成によれば、ラック高さの相違ΔＨ等に関わらず、ガイド部７０を構成することができるので、設備費の削減に繋がる。また、形状の異なる固定具９’及び遮蔽板７１ａを予め形成しておく必要がなくなるので、作業の手間を省くことができる。
【００５１】
上記第７の実施の形態に係る電算機室用空調システムにおいては、図３３から図３５に示すように、ラック３、３’は、通路４の両側に互いの背面３ｃ、３ｃ’側を対向させて設置され、ガイド部７０は、前記ラック３、３’の上面３ａ、３ａ’において、前面（給気面）３ｂ、３ｂ’側の側縁部にそれぞれ設けてもよい。
このときスライド板７１ａは、背面３ｃ、３ｃ’側に向けて備えられ、対向するガイド部７０のスライド板７１ａと、ラック３、３’の上面３ａ、３ａ’と通路４の上方空間との間で斜交させてガイド空間７６が形成される。詳しくは、スライド板７１ａの下面７１Ａ側が排気口３Ａ、３Ａ’の上方に位置するようにし、一方のスライド板７１ａの先端が、他方のスライド板７１ａの下面７１Ａ側に到達するように、一方のスライド板７１ａをスライド（図３４の矢印で示す。）させて調節する。
【００５２】
このように構成することによって、図３３の破線矢印で示すように、上面３ａから排気するラック３に用いることもでき、さらに同図の二点鎖線矢印で示すように、背面３ｃ’から排気するラック３’に用いることもできる。したがって、どちらのラック３、３’にも利用可能となるので、排気方向によって、ラック３、３’の配置やガイド部７０の配置を考慮する必要がなくなる。
尚、斜傾具７１は、斜傾角度を変化可能としてもよい。
【００５３】
尚、この発明は上述した実施の形態に限られるものではなく、例えば、上記ガイド部１に設けられるガイド部１の素材としては、金属板、網、樹脂板、ガラス板等、いかなるものであっても良い。光をある程度透過させる材料で前記ガイド部１を構成すれば、ラック間に渡って設けられるガイド部１であっても通路４内に必要な照度を確保することができる。また、ガイド部１内に照明を取り付けるようにしても良い。また、前記ファン１６、１６’は、ラック３に設けられているラックファンの風量の総計よりも大きいものとする。
また、この発明は上記各実施の形態の構成を組み合わせてもよい。
【図面の簡単な説明】
【００５４】
【図１】本発明における第１実施形態に係る電算機室用空調システムの要部を示す図である。
【図２】本発明における第１実施形態に係る電算機室用空調システムの全体図である。
【図３】本発明における第１実施形態に係る電算機室用空調システムの変形例を示す図である。
【図４】本発明における第１実施形態に係る電算機室用空調システムの変形例を示す図である。
【図５】本発明における第１実施形態に係る電算機室用空調システムの変形例を示す図である。
【図６】本発明における第１実施形態に係る電算機室用空調システムの変形例を示す図である。
【図７】本発明における第２実施形態に係る電算機室用空調システムの全体図である。
【図８】本発明における第２実施形態に係る電算機室用空調システムの要部を示す図である。
【図９】本発明における第２実施形態に係る電算機室用空調システムの変形例を示す図である。
【図１０】本発明における第２実施形態に係る電算機室用空調システムの変形例を示す図である。
【図１１】本発明における第２実施形態に係る電算機室用空調システムの変形例を示す図である。
【図１２】本発明における第２実施形態に係る電算機室用空調システムの変形例を示す図である。
【図１３】本発明における第２実施形態に係る電算機室用空調システムの変形例を示す図である。
【図１４】本発明における第２実施形態に係る電算機室用空調システムの変形例を示す図である。
【図１５】本発明における第３実施形態に係る電算機室用空調システムの全体図である。
【図１６】本発明における第３実施形態に係る電算機室用空調システムの要部を示す図である。
【図１７】本発明における第３実施形態に係る電算機室用空調システムの変形例を示す図である。
【図１８】本発明における第３実施形態に係る電算機室用空調システムの変形例を示す図である。
【図１９】本発明における第４実施形態に係る電算機室用空調システムの全体図である。
【図２０】本発明における第４実施形態に係る電算機室用空調システムの要部を示す図である。
【図２１】本発明における第４実施形態に係る電算機室用空調システムの変形例を示す図である。
【図２２】本発明における第４実施形態に係る電算機室用空調システムの変形例を示す図である。
【図２３】本発明における第５実施形態に係る電算機室用空調システムの全体図である。
【図２４】本発明における第５実施形態に係る電算機室用空調システムの変形例を示す図である。
【図２５】本発明における第６実施形態に係る電算機室用空調システムの要部を示す図である。
【図２６】本発明における第６実施形態に係る電算機室用空調システムの全体図である。
【図２７】本発明における第６実施形態に係る電算機室用空調システムの変形例を示す図である。
【図２８】本発明における第６実施形態に係る電算機室用空調システムの変形例を示す図である。
【図２９】本発明における第７実施形態に係る電算機室用空調システムの全体図である。
【図３０】本発明における第７実施形態に係る電算機室用空調システムの要部であって、斜傾具取り付け前の状態を示す平面図である。
【図３１】本発明における第７実施形態に係る電算機室用空調システムの要部を示す平面図である。
【図３２】本発明における第７実施形態に係る電算機室用空調システムの要部を示す側面図である。
【図３３】本発明における第７実施形態に係る電算機室用空調システムの変形例の全体図である。
【図３４】本発明における第７実施形態に係る電算機室用空調システムの変形例の要部を示す平面図である。
【図３５】本発明における第７実施形態に係る電算機室用空調システムの変形例の要部を示す側面図である。
【図３６】従来の電算機室用空調システムについて示した図である。
【符号の説明】
【００５５】
１、２０、３０、４０、５０、５０’、６０、７０    ガイド部
３、３’      ラック
３ａ、３ａ’  上面
３ｃ、３ｃ’  背面（排気面）
４            通路
５            内部空間
６            空気調和装置
１２、１３、１７、１７’    遮蔽壁
１４、１４’  ガイド用ダクト（ダクト）
１５、１５’  空気調和装置側のダクト（ダクト）
１８、１８’  ガイド部用ダクト（ダクト）
１６、１６’  ファン
３Ａ、３Ａ’  排気口
２、２’、２”、６１、７５、７６    ガイド空間
８、８’、８” 天板（ガイド板）
７１ａ        スライド板(斜傾板)
７１          斜傾具(排気誘導装置)
【図１】
2006064303.tif 000003
【図２】
2006064303.tif 000004
【図３】
2006064303.tif 000005
【図４】
2006064303.tif 000006
【図５】
2006064303.tif 000007
【図６】
2006064303.tif 000008
【図７】
2006064303.tif 000009
【図８】
2006064303.tif 000010
【図９】
2006064303.tif 000011
【図１０】
2006064303.tif 000012
【図１１】
2006064303.tif 000013
【図１２】
2006064303.tif 000014
【図１３】
2006064303.tif 000015
【図１４】
2006064303.tif 000016
【図１５】
2006064303.tif 000017
【図１６】
2006064303.tif 000018
【図１７】
2006064303.tif 000019
【図１８】
2006064303.tif 000020
【図１９】
2006064303.tif 000021
【図２０】
2006064303.tif 000022
【図２１】
2006064303.tif 000023
【図２２】
2006064303.tif 000024
【図２３】
2006064303.tif 000025
【図２４】
2006064303.tif 000026
【図２５】
2006064303.tif 000027
【図２６】
2006064303.tif 000028
【図２７】
2006064303.tif 000029
【図２８】
2006064303.tif 000030
【図２９】
2006064303.tif 000031
【図３０】
2006064303.tif 000032
【図３１】
2006064303.tif 000033
【図３２】
2006064303.tif 000034
【図３３】
2006064303.tif 000035
【図３４】
2006064303.tif 000036
【図３５】
2006064303.tif 000037
【図３６】
2006064303.tif 000038